(57)【要約】【課題】照明器具本体に形成されたロの字形開口からロの字形状の蛍光ランプの光を出射する際における、ロの字形開口の四隅部分からのグレアやディスプレイ装置の画面への蛍光ランプの映り込みを防止する。【解決手段】ルーバー３は、照明器具本体２に形成されたロの字形開口８に沿って位置付けられる蛍光ランプ４の直管部分と直交する向きに配列された複数のルーバー羽根１３を有し、隣合って平行に対向する一対のルーバー羽根１３の間隔と、ロの字形開口８の四隅部分におけるこのロの字形開口８の縁部１１と該縁部１１に平行に対向するルーバー羽根１３との間隔とが同じに設定されている。これにより、ルーバー３による遮光角が、ロの字形開口８の全ての範囲内で同じになり、グレアやディスプレイ装置の画面への蛍光ランプ４の映り込みを防止でき、しかも、このルーバー３により遮光される光量は低く抑えられるので照度が維持される。【選択図】    図１
2004265649.tif 000002
【特許請求の範囲】
【請求項１】
一面にロの字形開口が形成された照明器具本体と；
前記照明器具本体内に前記ロの字形開口に沿って位置付けられたロの字形の蛍光ランプと；
前記照明器具本体内に位置付けられた前記蛍光ランプの直管部分と直交する向きに配列された複数のルーバー羽根を有し、隣合って平行に対向する一対の前記ルーバー羽根の間隔と、前記ロの字形開口の四隅部分におけるこのロの字形開口の縁部と該縁部に平行に対向する前記ルーバー羽根との間隔とが同じに設定されているルーバーと；
を具備する照明器具。
【請求項２】
一面にロの字形開口が形成された照明器具本体と；
前記照明器具本体内に前記ロの字形開口に沿って位置づけられたロの字形の蛍光ランプと；
前記照明器具本体内に位置付けられた前記蛍光ランプの直管部分と直交する向きに配列された複数のルーバー羽根を有し、隣合って平行に対向する一対の前記ルーバー羽根と前記ロの字形開口の外方側の縁部と内方側の縁部とに囲まれた枡形状と、前記ロの字形開口の四隅部分において直交する向きで隣合った一対の前記ルーバー羽根と前記ロの字形開口の外方側の縁部とに囲まれた枡形状とが同一サイズの正方形に形成されたルーバーと；
を具備する照明器具。
【請求項３】
一面にロの字形開口が形成された照明器具本体と；
前記照明器具本体に前記ロの字形開口に沿って位置付けられたロの字形の蛍光ランプと；
前記照明器具本体内に位置付けられた前記蛍光ランプの直管部分と対向するように設けられている第一配光制御手段と；
前記照明器具本体内に位置付けられた前記蛍光ランプの四隅部分と対向するように設けられている第二配光制御手段と；
を具備する照明器具。
【請求項４】
一面に開口が形成された照明器具本体と；
前記開口の中央部に位置付けられ、前記照明器具本体の周縁部との間にロの字形のランプ収納部を形成する反射体と；
前記ランプ収納部に位置付けられたロの字形の蛍光ランプと；
前記ランプ収納部の外周側を閉止し、前記反射体に隙間をもって対向する内側縁部を有し、前記内側縁部を前記反射体を挟んで反対側に位置する前記照明器具本体の前記周縁部側から見通したときに前記ランプ収納部に収納された前記蛍光ランプが直視できない位置に前記内側縁部が位置付けられたロの字形セードと；
を具備する照明器具。
【請求項５】
前記照明器具本体における前記蛍光ランプの四隅部分の少なくとも一箇所に対向する位置に通気孔が形成されている請求項１ないし４のいずれか一記載の照明器具。
【発明の詳細な説明】
【０００１】
【発明の属する技術分野】本発明は、照明器具に関する。
【０００２】
【従来の技術】近年、オフィスビルの視環境を向上させるという観点から、略正方形状の照明器具を設置することが行われている。このような正方形状の照明器具では、４本の直管形の蛍光ランプをロの字形に配列したり（例えば、特許文献１参照）、４本の直管形の蛍光ランプを平行に配列したりしている。また、照度を維持しつつ使用する蛍光ランプの数を少なくするという観点から、Ｕ字形に屈曲した片口蛍光ランプを２本使用したものもある。
【０００３】
さらに、使用する蛍光ランプの数をより少なくし、蛍光ランプの交換メンテナンスの軽減や、ソケット等の電気部品の数の軽減を図るという観点から考えると、ロの字形に形成した蛍光ランプを使用することが好ましい。
【０００４】
なお、上述した正方形状の照明器具では、グレアカットやディスプレイ装置の画面への蛍光ランプの映り込み防止のため、ルーバー、セード等が用いられている。
【０００５】
【特許文献１】
特開平１−２３２６０４号公報
【０００６】
【発明が解決しようとする課題】直管形の４本の蛍光ランプをロの字形に配列した照明器具、又は、ロの字形の蛍光ランプを使用した照明器具においては、ルーバーや半間接照明用のセードを用いた場合、１本又は複数本の直管形の蛍光ランプを並列に配列した照明器具とは異なる事態が発生する。
【０００７】
図１０は、ロの字形の蛍光ランプを使用する照明器具にルーバーを取り付けたものである。但し、このルーバーは、蛍光ランプの直管部分と直交する向きに配列された複数のルーバー羽根のみを有する。この照明器具において、１０１は天井面に取付けられる照明器具本体、１０２はその照明器具本体１０１の下面側に形成されたロの字形開口、１０３はロの字形開口１０２内に位置付けられたロの字形の蛍光ランプ、１０４はルーバーである。なお、ルーバー１０４は、ロの字形開口１０２内に嵌め込まれる外側枠１０５と内側枠１０６、及び、蛍光ランプ１０３の直管部分と直交する向きに配列されて両端を外側枠１０５と内側枠１０６とに固定された複数のルーバー羽根１０７とにより形成されている。
【０００８】
図１１は、図１０の照明器具をＡ方向から見上げた場合の遮光角について説明する図面である。ロの字形開口１０２の四隅部分以外の部分では、隣合った２枚のルーバー羽根１０７の間隔、及び、ルーバー羽根１０７の上縁と下縁との位置により遮光角“α”が決定されている。一方、ロの字形開口１０２の四隅部分では、ロの字形開口１０２の縁部とその縁部に平行に対向するルーバー羽根１０７との間隔、及び、ロの字形開口１０２の下縁とルーバー羽根１０７の上縁との位置により遮光角“β”が決定される。そして、ロの字形開口１０２の縁部とその縁部に平行に対向するルーバー羽根１０７との間隔が大きいため、遮光角“β”が小さくなる。即ち、照明器具の四隅部分を見上げた場合には蛍光ランプ１０３から出射された光が目に入り易くなってグレア（眩しさ）を感じるようになり、また、ディスプレイ装置の画面への蛍光ランプ１０３の映り込みが生じるようになる。四隅部分をＢ方向から見上げた場合にも同様である。
【０００９】
図１０において、ロの字形開口１０２の四隅部分において仮想線で示すようにルーバー羽根１０７ａを追加すれば、その四隅部分においてＡ方向から見上げた場合の遮光角を“α”と同程度に大きくすることができる。しかし、その場合でも、Ｂ方向から見上げた場合の遮光角は依然として“β”のままである。
【００１０】
一方、図１２に示すように、蛍光ランプ１０３の直管部分と直交する向きに配列された複数のルーバー羽根１０７に加えて、蛍光ランプ１０３の直管部分と平行な向きに配列されてルーバー羽根１０７と直交するルーバー羽根１０８を有するルーバー１０９も知られている。このルーバー１０９は、ルーバー羽根１０７とルーバー羽根１０８とに囲まれた複数の枡形状部が形成され、その枡形状はロの字形開口１０２の四隅部分を含む全ての領域で同じサイズに形成されるので、ロの字形開口１０２の四隅部分からのグレアやディスプレイ装置の画面への蛍光ランプ１０３の映り込みを防止することができるようになる。しかし、ルーバー羽根１０８を設けることにより、このルーバー羽根１０８によって遮光される光量が増大し、照度が低下するという問題が発生する。したがって、照明器具の照度を維持するためには、図１０に示すように、蛍光ランプ１０３の直管部分と直交する向きに配列されたルーバー羽根１０７のみを有するルーバー１０４が好適である。
【００１１】
本発明の目的は、ロの字形の蛍光ランプを照明器具本体内にロの字形開口に沿って位置付けした場合において、ロの字形開口の四隅部分からのグレアやディスプレイ装置の画面への蛍光ランプの映り込みを防止することである。
【００１２】
また、本発明の別の目的は、セードと反射板とを用いた半間接照明方式の照明器具本体であってロの字形のランプ収納部にロの字形の蛍光ランプを収納した場合であっても、ランプ収納部の四隅部分からのグレアやディスプレイ装置の画面への蛍光ランプの映り込みを防止することである。
【００１３】
【課題を解決するための手段】請求項１記載の発明の照明器具は、一面にロの字形開口が形成された照明器具本体と；前記照明器具本体内に前記ロの字形開口に沿って位置付けられたロの字形の蛍光ランプと；前記照明器具本体内に位置付けられた前記蛍光ランプの直管部分と直交する向きに配列された複数のルーバー羽根を有し、隣合って平行に対向する一対の前記ルーバー羽根の間隔と、前記ロの字形開口の四隅部分におけるこのロの字形開口の縁部と該縁部に平行に対向する前記ルーバー羽根との間隔とが同じに設定されているルーバーと；を具備する。
【００１４】
したがって、照明器具本体内に位置付けられたロの字形の蛍光ランプから出射される光のルーバーによる遮光角は、蛍光ランプの直管部分では、隣合って平行に対向する２枚のルーバー羽根により定められ、蛍光ランプの四隅部分ではロの字形開口の縁部とその縁部に平行に対向するルーバー羽根とにより定められる。ここで、このルーバーは、隣合って平行に対向する一対のルーバー羽根の間隔と、ロの字形開口の四隅部分におけるこのロの字形開口の縁部とその縁部に平行に対向するルーバー羽根との間隔とが同じであるため、この照明器具におけるルーバーによる遮光角は、ロの字形開口の全ての範囲内で同じになり、グレアやディスプレイ装置の画面への蛍光ランプの映り込みを防止できる。しかも、このルーバーは、照明器具本体内に位置付けられた蛍光ランプの直管部分と平行な向きに配列されたルーバー羽根を有しない構造なので、ルーバーにより遮光される光量が低く抑えられ、照度が維持される。
【００１５】
請求項２記載の発明の照明器具は、一面にロの字形開口が形成された照明器具本体と；前記照明器具本体内に前記ロの字形開口に沿って位置づけられたロの字形の蛍光ランプと；前記照明器具本体内に位置付けられた前記蛍光ランプの直管部分と直交する向きに配列された複数のルーバー羽根を有し、隣合って平行に対向する一対の前記ルーバー羽根と前記ロの字形開口の外方側の縁部と内方側の縁部とに囲まれた枡形状と、前記ロの字形開口の四隅部分において直交する向きで隣合った一対の前記ルーバー羽根と前記ロの字形開口の外方側の縁部とに囲まれた枡形状とが同一サイズの正方形に形成されたルーバーと；を具備する。
【００１６】
したがって、照明器具本体内に位置付けられたロの字形の蛍光ランプから出射される光のルーバーによる遮光角は、蛍光ランプの直管部分では、隣合って平行に対向する２枚のルーバー羽根により定められ、蛍光ランプの四隅部分ではロの字形開口の縁部とその縁部に平行に対向するルーバー羽根とにより定められる。ここで、このルーバーは、隣合って平行に対向する一対のルーバー羽根とロの字形開口の外方側の縁部と内方側の縁部とに囲まれた枡形状と、ロの字形開口の四隅部分において直交する向きで隣合った一対のルーバー羽根とロの字形開口の縁部とに囲まれた枡形状とが同一サイズの正方形に形成されているので、この照明器具におけるルーバーによる遮光角は、ロの字形開口の全ての範囲内で同じになり、グレアやディスプレイ装置の画面への蛍光ランプの映り込みを防止できる。しかも、このルーバーは、照明器具本体内に位置付けられた蛍光ランプの直管部分と平行な向きに配列されたルーバー羽根を有しない構造なので、ルーバーにより遮光される光量が低く抑えられ、照度が維持される。
【００１７】
請求項３記載の発明の照明器具は、一面にロの字形開口が形成された照明器具本体と；前記照明器具本体に前記ロの字形開口に沿って位置付けられたロの字形の蛍光ランプと；前記照明器具本体内に位置付けられた前記蛍光ランプの直管部分と対向するように設けられている第一配光制御手段と；前記照明器具本体内に位置付けられた前記蛍光ランプの四隅部分と対向するように設けられている第二配光制御手段と；を具備する。
【００１８】
ここで、「第一配光制御手段」とは、蛍光ランプの直管部分から出射される光がグレアやディスプレイ装置の画面へ映り込むことを防止するように設けられているものであり、蛍光ランプの直管部分の真下に設けられていれば、例えば、ルーバー、拡散性を有する透光板等、いかなる形態のものでもよい。
【００１９】
また、「第二配光制御手段」とは、蛍光ランプの四隅部分から出射される光がグレアやディスプレイ装置の画面へ映り込むことを防止するように設けられているものであり、第一配光制御手段と一体又は別体に設けられている。
【００２０】
したがって、照明器具本体内に位置付けられたロの字形の蛍光ランプの直管部分から出射される光は第一配光制御手段によりグレアやディスプレイ装置の画面へ映り込むことが防止される。また、照明器具本体内に位置付けられたロの字形の蛍光ランプの四隅部分から出射される光は、第二配光制御手段によりグレアやディスプレイ装置の画面へ映り込むことが防止される。
【００２１】
請求項４記載の発明の照明器具は、一面に開口が形成された照明器具本体と；前記開口の中央部に位置付けられ、前記照明器具本体の周縁部との間にロの字形のランプ収納部を形成する反射体と；前記ランプ収納部に位置付けられたロの字形の蛍光ランプと；前記ランプ収納部の外周側を閉止し、前記反射体に隙間をもって対向する内側縁部を有し、前記内側縁部を前記反射体を挟んで反対側に位置する前記照明器具本体の前記周縁部側から見通したときに前記ランプ収納部に収納された前記蛍光ランプが直視できない位置に前記内側縁部が位置付けられたロの字形セードと；を具備する。
【００２２】
したがって、ランプ収納部内に収納された蛍光ランプから出射された光は、その一部がロの字形セードを透過して照明され、他の一部は反射体で反射されて照明される。ここで、反射体はロの字形のランプ収納部の中央部に位置しており、ランプ収納部の一辺を反射体を挟んだ反対側から見通した場合、ランプ収納部の四隅部分では、反射体に遮光されずにロの字形セードの内側縁部を直接見通せる箇所が発生する。
【００２３】
そこで、ロの字形セードの内側縁部を反射体を挟んで反対側に位置する照明器具本体の周縁部側から見通したときにランプ収納部に収納された蛍光ランプが直視できない位置に内側縁部を位置付けることにより、ランプ収納部の四隅部分を反射体を挟んだ反対側から見通した場合でも蛍光ランプが直接見えるということがなくなり、グレアやディスプレイ装置の画面への蛍光ランプの映り込みが防止される。
【００２４】
請求項５記載の発明は、請求項１ないし４のいずれか一記載の照明器具において、前記照明器具本体における前記蛍光ランプの四隅部分の少なくとも一箇所に対向する位置に通気孔が形成されている。
【００２５】
ロの字形の蛍光ランプは、四隅部分が他の部分に比べて温度が低くなる傾向にあるため、ロの字形開口の四隅部分の少なくとも一箇所に通気孔を形成することにより、蛍光ランプの最冷部制御を効果的に行える。
【００２６】
ここで、“蛍光ランプの最冷部制御”とは、点灯時に温度上昇している蛍光ランプのいずれか一箇所の温度を最適温度（一般には、２５℃前後）に下げることにより、蛍光ランプの全ての領域において最良の照度に制御できることをいう。
【００２７】
【発明の実施の形態】本発明の第一の実施の形態を図１ないし図４に基づいて説明する。図１は照明器具を示す分解斜視図、図２は平面図、図３は図２におけるＡ−Ａ線断面図、図４は図２におけるＢ−Ｂ線断面図である。
【００２８】
この照明器具１は、天井面に格子状に取付けられたＴ字バーに保持して使用される構造のもので、照明器具本体２、ルーバー３を備えている。照明器具本体２内にはロの字形の蛍光ランプ４が着脱可能に位置付けられている。
【００２９】
照明器具本体２は、一面が開口された四角形状の枠体５と、開口部分に配置されて枠体５に固定された蓋体６とから形成されている。蓋体６は、一端を蓋体６に固定された四角筒状のステー７の他端を枠体５の内側面にネジ止めすることにより枠体５に固定されている。枠体５の縁部５ａと蓋体６の縁部６ａとの間には隙間が設けられ、この隙間部分が照明器具本体２の一面に形成されたロの字形開口８とされている。枠体６の内周面やステー７の表面は照射された光の反射性能に優れた反射面とされている。
【００３０】
照明器具本体２内に設けられるロの字形の蛍光ランプ４は、ロの字形開口８に沿って位置付けられ、ロの字形開口８から光を出射するように位置付けられている。ロの字形の蛍光ランプ４は、ロの字形開口８の四隅部分に配置された４個のランプホルダ９により保持され、蛍光ランプ４の口金１０に設けられた４本のピンが照明器具本体２内に設けられたソケット（図示せず）に接続されている。ランプホルダ９は、金属又は熱伝達率が高い樹脂を使用することが好適である。ランプホルダ９で蛍光ランプ４の四隅部分を保持することにより安定した保持状態を得ることができ、また、このランプホルダ９を介して蛍光ランプ４からの放熱を行える。蛍光ランプ４の四隅部分は直管部分に比べて温度が低くなる部分であるので、最冷部制御を行いやすくなる。
【００３１】
ルーバー３は、蛍光ランプ４から出射された光の遮光角を規制する部材であり、ロの字形に形成されてロの字形開口８に着脱自在に嵌め込まれている。ルーバー３をロの字形開口８に嵌め込んだ状態において、ルーバー３は弾性部材を用いた保持機構（図示せず）により保持されて脱落防止が図られている。
【００３２】
つぎに、ルーバー３の具体的な構造について説明する。ルーバー３は、ロの字形開口８への嵌め込め時に枠体５の縁部５ａに当接される外側枠１１と、蓋体６の縁部６ａに当接される内側枠１２と、両端をこれらの外側枠１１と内側枠１２とに固定された複数のルーバー羽根１３とを有している。ルーバー３がロの字形開口８に嵌め込まれることにより、ルーバー３の外側枠１１はロの字形開口８の外側の縁部として機能し、ルーバー３の内側枠１２はロの字形開口８の内側の縁部として機能する。ルーバー羽根１３は、蛍光ランプ４の直管部分と直交する向きに配列され、隣合って平行に対向する一対のルーバー羽根１３の間隔が“Ｘ”、ロの字形開口８の四隅部分におけるこのロの字形開口８の縁部１１と該縁部１１に平行に対向するルーバー羽根１３との間隔も“Ｘ”に設定されている。
【００３３】
このルーバー３の構造について別の見方をすると、隣合って平行に対向する一対のルーバー羽根１３とロの字形開口８の外方側の縁部１１と内方側の縁部１２とに囲まれた枡形状“Ｍ”と、ロの字形開口８の四隅部分において直交する向きで隣合った一対のルーバー羽根１３とロの字形開口８の外方側の縁部１１とに囲まれた枡形状“Ｎ”とが同一サイズの正方形に形成されていると言える。
【００３４】
照明器具本体２の天井面部分であってロの字形開口８の四隅部分の一箇所と対向する位置には、照明器具本体２の内側と外側とを連通する通気孔１４が形成されている。
【００３５】
このような構成において、ルーバー３をロの字形開口８に嵌め込んで天井面に取り付けられた照明器具１を見上げた場合、照明器具本体２内に位置付けられた蛍光ランプ４から出射される光のルーバー３による遮光角は、蛍光ランプ４の直管部分と対向する部分（ロの字形開口８の四隅部分以外の部分）では、隣合って平行に対向する２枚のルーバー羽根１３の間隔、及び、ルーバー羽根１３の上縁と下縁との位置により決定され、“α”となる。
【００３６】
一方、蛍光ランプ４の四隅部分と対向する部分（ロの字形開口８の四隅部分）では、ロの字形開口８の縁部１１とその縁部１１に平行に対向するルーバー羽根１３との間隔、及び、縁部１１の下縁とルーバー羽根１３の上縁との位置により遮光角が決定される。そして、ロの字形開口８の縁部１１とその縁部１１に平行に対向するルーバー羽根１３との間隔“Ｘ”と、平行に対向する２枚のルーバー羽根１３の間隔“Ｘ”とが同じであり、各ルーバー羽根１３の上縁の位置が一定であるとともに各ルーバー羽根１３の下縁と縁部１１の下縁との位置が一定であるため、ロの字形開口８の全ての範囲内において遮光角は“α”となって一定になる。
【００３７】
このため、この照明器具１においては、ロの字形開口８の四隅部分を含むロの字形開口８の全域において、グレアやディスプレイ装置の画面への蛍光ランプ４の映り込みが防止される。
【００３８】
しかも、このルーバー３は、照明器具本体２内に位置付けられた蛍光ランプ４の直管部分と平行な向きに配列されたルーバー羽根を有しない構造なので、ルーバー３により遮光される光量が低く抑えられ、照度が維持される。
【００３９】
このようなロの字形の蛍光ランプ４を使用した照明器具１では、蛍光ランプ４の点灯時には蛍光ランプ４からの発熱量が多いとともにその熱が照明器具本体２内にこもり易いため、蛍光ランプ４が温度上昇する傾向にある。そして、この温度上昇により蛍光ランプ４から出射される光束が低下し、照度が低下するようになる。しかし、通気孔１４を形成することにより、照明器具本体２内にこもった熱が通気孔１４から放熱されるので、蛍光ランプ４におけるこの通気孔１４と対向する部分の温度を下げることができる。そして、蛍光ランプ４における最冷部制御の作用として、蛍光ランプ４の一部において温度を最適温度に近づけるように低下させることにより、蛍光ランプ４の全ての範囲において光束、照度の向上を図ることができる。
【００４０】
しかも、ロの字形の蛍光ランプ４は、四隅部分が他の部分に比べて温度が低くなる傾向にあるため、蛍光ランプ４の四隅部分と対向する箇所であるロの字形開口８の四隅部分の少なくとも一箇所に通気孔１４を形成することにより、この通気孔１４からの放熱を利用した蛍光ランプ４の最冷部制御を効果的に行える。
【００４１】
なお、本実施の形態では、照明器具本体２のロの字形開口８に沿ってロの字形の蛍光ランプ４を位置付けした場合を例に挙げて説明したが、ロの字形開口８に沿って直管状の４本の蛍光ランプを位置付けた場合でもロの字形の蛍光ランプ４を使用した場合と同じように、ロの字形開口８の全域においてグレアやディスプレイ装置の画面への蛍光ランプの映り込みが防止できる。
【００４２】
本発明の第二の実施の形態を図５及び図６に基づいて説明する。なお、図１ないし図４において説明した部分と同じ部分は同じ符号で示し、説明も省略する（以下の実施の形態でも同じ）。図５は照明器具を示す分解斜視図、図６は平面図である。
【００４３】
この照明器具２１は、上述した照明器具１と同じように天井面に格子状に取付けられたＴ字バーに保持して使用される構造のもので、照明器具本体２、配光制御部材２２を備えている。照明器具本体２内にはロの字形の蛍光ランプ４が着脱可能に位置付けられ、照明器具本体２にはロの字形開口８が形成され、照明器具本体２内に位置付けられたロの字形の蛍光ランプ４からの光はロの字形開口８から出射される。
【００４４】
配光制御部材２２は、蛍光ランプ４から出射された光の配光を制御する部材であり、ロの字形に形成されてロの字形開口８に着脱自在に嵌め込まれている。配光制御部材２２をロの字形開口８に嵌め込んだ状態においては、配光制御部材２２は弾性部材を用いた保持機構（図示せず）により保持されて脱落防止が図られている。
【００４５】
つぎに、配光制御部材２２の具体的な構造について説明する。この配光制御部材２２は、ロの字形開口８へ嵌め込め時に蛍光ランプ４の直管部分に対向する第一配光制御手段であるルーバー部２２ａと、蛍光ランプ４の四隅部分に対向する第二配光制御手段である透光性カバー部２２ｂとにより形成されている。ルーバー部２２ａは、蛍光ランプ４の直管部分と直交する向きに互いに等間隔で平行に配列された複数のルーバー羽根１３により形成されており、蛍光ランプ４の直線部分から出射された光の遮光角を規制する。透光性カバー部２２ｂは、光を透過させることができる部材、例えば、アクリル樹脂の乳白透過板、パンチングメタル板等で形成されている。
【００４６】
照明器具本体２の天井面部分であってロの字形開口８の四隅部分の一箇所と対向する位置には、照明器具本体２の内側と外側とを連通する通気孔１４（図４参照）が形成されている。
【００４７】
このような構成において、配光制御部材２２をロの字形開口８に嵌め込んで天井面に取り付けられた照明器具２１を見上げた場合における蛍光ランプ４から出射される光の配光制御部材２２による配光制御は、ロの字形開口８の四隅部分以外ではルーバー部２２ａにより行われ、このルーバー部２２ａでは、隣合って平行に対向する２枚のルーバー羽根１３の間隔“Ｙ”を適宜設定することにより任意の遮光角に設定でき、グレアやディスプレイ装置の画面への蛍光ランプ４の映り込みを防止できる。
【００４８】
ロの字形開口８の四隅部分では、この四隅部分を透光性カバー部２２ｂで覆ったことにより、この四隅部分からのグレアやディスプレイ装置の画面への蛍光ランプ４の映り込みを防止できる。これにより、ルーバー羽根１３による遮光角の設定を、ロの字形開口８の四隅部分の幅寸法“ｙ”については考慮することなく、容易に行える。
【００４９】
また、ロの字形の蛍光ランプ４は、四隅部分は直管部分に比べて暗くなる傾向にあるため、この四隅部分を透光性カバー部２２ｂで覆うことにより、蛍光ランプ４の直管部分と四隅部分との明るさの不均一性を感じさせなくすることができる。
【００５０】
しかも、この配光制御部材２２のルーバー部２２ａは、照明器具本体２内に位置付けられた蛍光ランプ４の直管部分と平行な向きに配列されたルーバー羽根を有しない構造なので、ルーバー羽根１３により遮光される光量が低く抑えられ、照度が維持される。
【００５１】
本発明の第三の実施の形態を図７及び図８に基づいて説明する。図７は照明器具を示す平面図、図８は図７におけるＡ−Ａ線断面図である。
【００５２】
この照明器具３１は、天井面に格子状に取付けられたＴ字バーに保持して使用される構造のもので、照明器具本体３２、反射体３３、ロの字形セード３４を備えている。
【００５３】
照明器具本体３２は、天井板３２ａと天井板３２ａに直交する４辺の周縁部３２ｂとを有し、天井板３２ａと対向する面が開口３５とされた箱形状に形成されている。照明器具本体３２の内面は、光の反射性能に優れた面とされている。
【００５４】
反射体３３は、断面形状が逆富士型に形成された箱状部材であり、周囲の４面には湾曲した反射面３３ａが形成され、下端面はフラット面３３ｂとされている。この反射体３３は、開口３５の中央部に位置付けられ、フラット面３３ｂを下向きとする逆富士型の姿勢で照明器具本体３２の天井板３２ａに固定されている。この固定方法は、ネジ止め、接着、嵌め込み等のいずれでもよい。この反射体３３を照明器具本体３２に固定することにより、反射体３３の４つの反射面３３ａと照明器具本体３２の４つの周縁部３２ｂとに囲まれた領域にロの字形のランプ収納部３６が形成されている。
【００５５】
ランプ収納部３６内には、ロの字形の蛍光ランプ４が位置付けられ、この蛍光ランプ４は、照明器具本体３２の天井板３２ａに固定された複数のランプホルダ９により保持され、蛍光ランプ４の口金１０に設けられた４本のピンが照明器具本体３２内に設けられたソケット（図示せず）に接続されている。
【００５６】
ロの字形セード３４は、ランプ収納部３６に倣ったロの字形に形成された透光性部材であり、４辺の外周部を照明器具本体３２の４辺の周縁部３２ｂに嵌め込むことにより照明器具本体３２への取付けが行われている。この取付けにより、ランプ収納部３６の外周側の４辺がロの字形セード３４により閉止される。照明器具本体３２に取付けられたロの字形セード３４は、弾性部材を用いた保持機構（図示せず）により脱落防止が図られている。
【００５７】
ロの字形セード３４には、照明器具本体３２への取付け状態において反射体３３の反射面３３ａに所定寸法の隙間をもって対向する内側縁部３４ａが形成されている。内側縁部３４ａは、この内側縁部３４ａを反射体３３を挟んで反対側に位置する照明器具本体３２の周縁部３２ｂ側から見通したときにランプ収納部３６に収納されている蛍光ランプ４を直視できない位置に位置付けられている。
【００５８】
照明器具本体３２の天井板３２ａの一部であってランプ収納部３６の四隅部分の一箇所には、照明器具本体３２の内側と外側とを連通する通気孔１４が形成されている。
【００５９】
このような構成において、ランプ収納部３６に収納したロの字形の蛍光ランプ４を点灯させた場合、蛍光ランプ４から出射された光の一部がロの字形セード３４を透過して照明され、蛍光ランプ４から出射された光の他の一部が反射面３３ａで反射され、ロの字形セード３４の内側縁部３４ａと反射面３３ａとの間の隙間部分を通過して照明される。
【００６０】
ここで、照明器具３１のランプ収納部３６の一辺を反射体３３を挟んだ反対側から見通した場合、ランプ収納部３６に収納されたロの字形の蛍光ランプ４の直管部分を見通す範囲では、反射体３３のフラット面３３ｂに向けて下向きに突出する部分により遮蔽され、ロの字形セード３４の内側縁部３４ａは見えなくなっている。したがって、蛍光ランプ４も見えない状態に維持され、グレアやディスプレイ装置の画面への蛍光ランプ４の映り込みが発生しない。
【００６１】
しかし、ランプ収納部３６の一辺を反射体３３を挟んだ反対側から見通す位置がランプ収納部３６の四隅部分に向けて移動すると、下方向きに突出する反射体３３の寸法が次第に小さくなり、やがて、図８の破線で示すように、ロの字形セード３４の内側縁部３４ａが見通せるようになる。
【００６２】
しかし、ロの字形セード３４の内側縁部３４ａとランプ収納部３６に収納された蛍光ランプ４との位置関係が、ロの字形セード３４の内側縁部３４ａを反射体３３を挟んで反対側に位置する照明器具本体３２の周縁部３２ｂ側から見通したときにランプ収納部３６に収納された蛍光ランプ４が直視できないように設定されている。このため、ランプ収納部３６の四隅部分を反射体３３を挟んだ反対側から見通した場合であって、図８の破線で示すようにロの字形セード３４の内側縁部３４ａを見通せるようになって蛍光ランプ４が直接見えるということがなくなり、グレアやディスプレイ装置の画面への蛍光ランプ４の映り込みが防止される。
【００６３】
本発明の第四の実施の形態を図９に基づいて説明する。本実施の形態の基本的構造は第三の実施の形態と同じであり、この照明器具４１は、照明器具本体３２、反射体４２、ロの字形セード３４、ランプ収納部３６、ロの字形の蛍光ランプ４等を備えている。
【００６４】
本実施の形態が第三の実施の形態と異なる点は、反射体４２の形状であり、この反射体４２は下方への突出寸法が第三の実施の形態の反射体３３より小さく設定され、下端面のフラット面４２ａがロの字形セード３４の内側縁部３４ａと略同一高さとなるように形成されている。なお、ロの字形セード３４の内側縁部３４ａは、この内側縁部３４ａを反射体４２を挟んで反対側に位置する照明器具本体３２の周縁部３２ｂ側から見通したときにランプ収納部３６に収納されている蛍光ランプ４を直視できない位置に位置付けられている。
【００６５】
このような構成において、照明器具４１のランプ収納部３６の一辺を反射体４２を挟んだ反対側から見通した場合、破線で示すようにロの字形セード３４の内側縁部３４ａが見えても蛍光ランプ４が直接見えないため、グレアやディスプレイ装置の画面への蛍光ランプ４の映り込みが防止される。
【００６６】
さらに、反射体４２の反射面４２ａの高さ寸法が小さくなり、反射面４２ａの上部側と下部側とで反射される光量の差が小さくなり、反射面４２ａの全体が略均一な明るさとなる。また、反射体４２のフラット面４２ａにはロの字形セード３４を透過した光の照射量が多くなり、下から見上げたときにフラット面４２ａがより明るく見えるようになる。
【００６７】
さらに、反射体４２の下方への突出寸法が小さくなったことにより、フラット面４２ａに対して非常灯やスピーカー等の設置場所を表示する表示プレートを取り付けることが可能となり、スペースの有効利用を図ることができる。
【００６８】
【発明の効果】請求項１記載の発明の照明器具によれば、ルーバーは、隣合って平行に対向する一対のルーバー羽根の間隔と、ロの字形開口の四隅部分におけるこのロの字形開口の縁部とその縁部に平行に対向するルーバー羽根との間隔とが同じであるため、この照明器具におけるルーバーによる遮光角は、ロの字形開口の全ての範囲内で同じになり、グレアやディスプレイ装置の画面への蛍光ランプの映り込みを防止でき、しかも、このルーバーは、照明器具本体内に位置付けられたロの字形の蛍光ランプの直管部分と平行な向きに配列されたルーバー羽根を有しない構造なので、ルーバーにより遮光される光量が低く抑えて照度の維持を図ることができる。
【００６９】
請求項２記載の発明の照明器具によれば、ルーバーは、隣合って平行に対向する一対のルーバー羽根とロの字形開口の外方側の縁部と内方側の縁部とに囲まれた枡形状と、ロの字形開口の四隅部分において直交する向きで隣合った一対のルーバー羽根とロの字形開口の縁部とに囲まれた枡形状とが同一サイズの正方形に形成されているので、この照明器具におけるルーバーによる遮光角は、ロの字形開口の全ての範囲内で同じになり、グレアやディスプレイ装置の画面への蛍光ランプの映り込みを防止でき、しかも、このルーバーは、照明器具本体内に位置付けられた蛍光ランプの直管部分と平行な向きに配列されたルーバー羽根を有しない構造なので、ルーバーにより遮光される光量を低く抑えて照度の維持を図ることができる。
【００７０】
請求項３記載の発明の照明器具によれば、照明器具本体内に位置付けられたロの字形の蛍光ランプの直管部分から出射される光のグレアやディスプレイ装置の画面へ映り込みを第一配光制御手段により防止でき、また、照明器具本体内に位置付けられたロの字形の蛍光ランプの四隅部分から出射される光のグレアやディスプレイ装置の画面へ映り込みを第二配光制御手段により防止できる。
【００７１】
請求項４記載の発明の照明器具によれば、ロの字形セードの内側縁部を反射体を挟んで反対側に位置する照明器具本体の周縁部側から見通したときにランプ収納部に収納された蛍光ランプが直視できない位置に内側縁部を位置付けることにより、ランプ収納部の四隅部分を反射体を挟んだ反対側から見通した場合でも蛍光ランプが直接見えるということがなくなり、グレアやディスプレイ装置の画面への蛍光ランプの映り込みを防止できる。
【００７２】
請求項５記載の発明によれば、請求項１ないし４のいずれか一記載の照明器具において、前記照明器具本体における前記蛍光ランプの四隅部分の少なくとも一箇所に対向する位置に通気孔が形成されているので、蛍光ランプの最冷部制御を効果的に行うことができる。
【図面の簡単な説明】
【図１】本発明の第一の実施の形態の照明器具を示す分解斜視図である。
【図２】その平面図である。
【図３】図２におけるＡ−Ａ線断面図である。
【図４】図２におけるＢ−Ｂ線断面図である。
【図５】本発明の第二の実施の形態の照明器具を示す分解斜視図である。
【図６】その平面図である。
【図７】本発明の第三の実施の形態の照明器具を示す平面図である。
【図８】図７におけるＡ−Ａ線断面図である。
【図９】本発明の第四の実施の形態の照明器具を示す断面図である。
【図１０】従来例の照明器具を示す平面図である。
【図１１】ルーバーによる遮光性能を説明する平面図である。
【図１２】従来例の別の照明器具を示す斜視図である。
【符号の説明】２：照明器具本体、３：ルーバー、４：蛍光ランプ、８：ロの字形開口、９：ランプホルダ、１０：口金、１１：縁部、１２：縁部、１３：ルーバー羽根、１４：通気孔、２２ａ：第一配光制御手段、２２ｂ：第二配光制御手段、３２：照明器具本体、３２ｂ：周縁部、３３：反射体、３４：ロの字形セード、３４ａ：内側縁、３５：開口、３６：ランプ収納部、４２：反射体
【図１】
2004265649.tif 000003
【図２】
2004265649.tif 000004
【図３】
2004265649.tif 000005
【図４】
2004265649.tif 000006
【図５】
2004265649.tif 000007
【図６】
2004265649.tif 000008
【図７】
2004265649.tif 000009
【図８】
2004265649.tif 000010
【図９】
2004265649.tif 000011
【図１０】
2004265649.tif 000012
【図１１】
2004265649.tif 000013
【図１２】
2004265649.tif 000014